(57)【要約】【課題】  老人や足腰の悪い人などが長時間座っていても疲れや苦痛を感じにくく、しかも使用しないときには普通の椅子と同様のサイズであって収納の邪魔になることもない足載せ台を備えた椅子を提供する。【解決手段】  椅子本体１の左右両側の前脚４と後脚５との間に、前後方向のガイド６，６をそれぞれ取付ける。椅子本体１の座面下部のスペースに足載せ台７を収納する。この足載せ台７はキャスター８を備えたものであり、ガイド６，６に沿って前方に引き出すことができる。足載せ台７を引き出して足を載せれば、膝や太腿が座面４から浮き上るため、長時間座っていても疲れや苦痛を感じにくく、食事などをゆっくりと楽しむことができる。【選択図】  図３
0003105251.tif 000002
【実用新案登録請求の範囲】
【請求項１】
椅子本体の左右両側の前脚と後脚との間に、前後方向のガイドをそれぞれ取付けるとともに、椅子本体の座面下部のスペースに、これらのガイドに沿って前方に引き出すことができるキャスター付きの足載せ台を収納したことを特徴とする足載せ台を備えた椅子。
【請求項２】
椅子本体の左右両側の前脚間に横棒を取り付け、足載せ台の前面板及び後面板をこの横棒に当てることにより、足載せ台の前後方向の移動量を制限したことを特徴とする請求項１に記載の足載せ台を備えた椅子。
【請求項３】
足載せ台の前面板と横棒との間にマグネットを取り付け、足載せ台を収納状態に保持できるようにしたことを特徴とする請求項２に記載の足載せ台を備えた椅子。
【請求項４】
足載せ台の後面板と椅子本体との間をチェーンまたは紐で連結し、足載せ台の前方への移動量を制限したことを特徴とする請求項１に記載の足載せ台を備えた椅子。
【考案の詳細な説明】
【技術分野】
【０００１】  本考案は、長時間座っていても疲れにくい足載せ台を備えた椅子に関するものであり、特に老人や足腰の悪い人が家庭または老人ホームなどで用いるに適した足載せ台を備えた椅子に関するものである。
【背景技術】
【０００２】  近年、わが国における食卓はテーブルが一般的となっており、椅子に座って食事をするのが普通である。また食事以外の時間にも椅子に座っていることが多い。ところが家庭用の椅子の座面は床面から４０〜５０ｃｍ程度に設定されているのが普通であるため、椅子に座ったときには太腿の下面から膝までの部分が座面に強く密着するとともに、膝から下の部分が垂直に下がった状態となる。【０００３】  この姿勢は健康な者にとっては特に苦痛ではないが、老人や足腰の悪い人は長時間この姿勢を保つと足腰に苦痛を感じることがある。このためせっかくの食事を落ち着いて楽しむことができないなどの問題があった。また長時間にわたり同じ姿勢で椅子に座っていると足の血流が阻害され、健康上の問題を引き起こすこともあった。
【考案の開示】
【考案が解決しようとする課題】
【０００４】  本考案は上記した従来の問題点を解決し、老人や足腰の悪い人などが長時間座っていても疲れや苦痛を感じにくく、しかも使用しないときには普通の椅子と同様のサイズであって収納の邪魔になることもない足載せ台を備えた椅子を提供するためになされたものである。
【課題を解決するための手段】
【０００５】  上記の課題を解決するためになされた本考案の足載せ台を備えた椅子は、椅子本体の左右両側の前脚と後脚との間に、前後方向のガイドをそれぞれ取付けるとともに、椅子本体の座面下部のスペースに、これらのガイドに沿って前方に引き出すことができるキャスター付きの足載せ台を収納したことを特徴とするものである。【０００６】  なお、椅子本体の左右両側の前脚間に横棒を取り付け、足載せ台の前面板及び後面板をこの横棒に当てることにより、足載せ台の前後方向の移動量を制限した構造とすることが好ましい。また、足載せ台の前面板と横棒との間にマグネットを取り付け、足載せ台を収納状態に保持できるようにすることが好ましい。また、足載せ台の後面板と椅子本体との間をチェーンまたは紐で連結し、足載せ台の前方への移動量を制限した構造とすることもできる。
【考案の効果】
【０００７】  本考案の足載せ台を備えた椅子は、椅子本体の座面下部のスペースに収納されているキャスター付きの足載せ台をガイドに沿って前方に引き出してその上に足を載せれば、膝や太腿が椅子本体の座面から浮き上り、強く密着することがなくなる。このため老人や足腰の悪い人が長時間座っていても疲れや苦痛を感じにくく、食事などを楽しむことができる。使用後はキャスター付きの足載せ台をガイドに沿って椅子本体の座面下部のスペースに収納しておくことができ、邪魔になることもない。【０００８】  また請求項２のように、椅子本体の左右両側の前脚間に横棒を取り付け、足載せ台の前面板及び後面板をこの横棒に当てることにより、足載せ台の前後方向の移動量を制限すれば、キャスター付きの足載せ台が椅子本体の前後方向に飛び出すことがなくなる。また請求項３のように、足載せ台の前面板と横棒との間にマグネットを取付ければ、足載せ台を収納状態に安定に保持することができる。さらに請求項４のように足載せ台の後面板と椅子本体との間をチェーンまたは紐で連結し、足載せ台の前方への移動量を制限すれば、キャスター付きの足載せ台が椅子本体の前方に飛してしまうことがない。
【考案を実施するための最良の形態】
【０００９】  以下に本考案の好ましい実施形態を説明する。
図１は本考案の足載せ台を備えた椅子の斜視図、図２は足載せ台を引き出した状態の斜視図、図３は使用状態の説明図である。この実施形態において、１は一般的な食卓用の木製の椅子本体であり、座面２と背もたれ３と２本の前脚４と２本の後脚５とを備えている。【００１０】  この椅子本体１の左右両側の前脚４と後脚５との間に、前後方向のガイド６，６がそれぞれ取付けられている。この実施形態ではガイド６，６は木製の平板であり、前脚４と後脚５の下部内面に固定されている。固定手段は木ネジ、釘、接着などの何れでも良い。【００１１】  これらのガイド６，６の間には、足載せ台７が収納されている。足載せ台７は中空の箱状体であり、その四隅の下部にはそれぞれキャスター８が設けられている。キャスター８は方向変換機能を持たない固定車輪であってもさしつかえない。このようにキャスター８を設けたため、足載せ台７はガイド６，６に沿って前後方向に移動可能である。この実施形態では足載せ台７の上面板９は木製平板であるが、冬季に足が冷えないように布などの断熱材を貼っておくこともできる。また上面板９を上げてその内部に湯たんぽなどの足温手段を収納できるようにしてもよい。【００１２】  本考案者の実験によれば、足載せ台７の高さは床面から１０〜１５ｃｍ程度とすることが好ましい。この範囲よりも低いと効果が不十分であり、逆にこの範囲よりも高いと足が上がりすぎて使用しにくいためである。【００１３】  足載せ台７の前面にはストッパ機能を有する前面板１０が固定されている。この前面板１０は足載せ台７の上面板９よりも数ｃｍ程度上方に延びており、その前面には引き出し用の摘み１１が固定されている。また足載せ台７の後面にはストッパ機能を有する後面板１２が固定されている。この実施形態では後面板１２は左右の２箇所で足載せ台７の上面板９よりも数ｃｍ程度上方に延びている。【００１４】  一方、椅子本体１の左右両側の前脚４，４間には横棒１３が取り付けられている。この横棒１３は、その下面が足載せ台７の上面板９よりも高いが、足載せ台の前面板１０及び後面板１１よりも低い位置に設けられている。このため前面板１０及び後面板１２をこの横棒１３に当てることにより、足載せ台７の前後方向の移動量を制限することができる。すなわち、足載せ台７を図２の位置まで引き出すと足載せ台７の後面板１２が横棒１３に当たり、足載せ台７を図１の位置まで押し込むと前面板１０が横棒１３に当たり、それ以上の移動が制限される。【００１５】  しかし単に足載せ台７の前後方向の移動量を制限しただけでは、その許容範囲内において足載せ台７が移動するため、安定しない。そこで足載せ台７の前面板１０と横棒１３との間にマグネット１４と鉄片１５とを取り付け、足載せ台７を収納状態に保持できるようにしておくことが好ましい。また同様に足載せ台７の後面板１１と横棒１２との間にもマグネットと鉄片とを取り付け、足載せ台７を図２の状態に保持できるようにしておくこともできる。ただしこれらのマグネット１４は吸着力が強すぎると却って操作がしにくくなるため、軽く固定できる程度の強さとすれば十分である。【００１６】  このほか図４に示すように、足載せ台７と椅子本体との間をチェーン１６ま���は紐で連結し、足載せ台７の前方への移動量を制限すればより安全である。【００１７】  このように構成された本考案の足載せ台を備えた椅子は、キャスター８付きの足載せ台７をガイド６，６に沿って前方に引き出して図３に示すようにその上に足を載せれば、膝や太腿が椅子本体１の座面２から軽く浮き上るため、老人や足腰の悪い人が長時間座っていても疲れや苦痛を感じにくく、食事などをゆっくりと楽しむことができる。なお足を下げたいときには、足先で足載せ台７を押せば椅子本体１の座面下部のスペースに容易に押し込むことができる。この図１の状態では足載せ台７は椅子本体１の内部に収納されるため、邪魔になることもない。【００１８】  上記の実施形態では家庭の食卓用椅子を示したが、本考案はこの実施形態に限定されるものではなく、家庭用のその他の椅子や、老人ホームなどの福祉施設で使用する椅子にも適用できることはいうまでもない。
【図面の簡単な説明】
【００１９】
【図１】本考案の実施形態を示す斜視図である。
【図２】足載せ台を引き出した状態の斜視図である。
【図３】使用状態の説明図である。
【図４】チェーンを取り付けた状態を示す側面図である。
【符号の説明】
【００２０】  １  椅子本体
２  座面
３  背もたれ
４  前脚
５  後脚
６  ガイド
７  足載せ台
８  キャスター
９  上面板
１０  前面板
１１  摘み
１２  後面板
１３  横棒
１４  マグネット
１５  鉄片
１６  チェーン
【図１】
0003105251.tif 000003
【図２】
0003105251.tif 000004
【図３】
0003105251.tif 000005
【図４】
0003105251.tif 000006